(57)【特許請求の範囲】
【請求項１】
ヤスデが家屋内に侵入することを防止するためのヤスデ侵入防止装置であって、地面に沿って家屋の布基礎の壁面に直接又は間接的に貼り付ける導電性のテープと、そのテープに電気的に接続するソーラー装置とを有し、ソーラー装置を電源として使用し、かつ、テープに低電圧の通電と低周波のパルス発生を行うことを特徴とするヤスデ侵入防止装置。
【請求項２】
ヤスデ侵入防止装置がソーラーパネルとコントロール手段を有し、コントロール手段は、電圧を３６Ｖ以下で選択する電圧調整手段と、３０〜１２０Ｈｚの低周波を選択する周波数調整手段を有する請求項１に記載のヤスデ侵入防止装置。
【請求項３】
低電圧が３６Ｖ以下の低電圧である請求項１に記載のヤスデ侵入防止装置。
【請求項４】
低周波が３０Ｈｚ〜１２０Ｈｚの低周波である請求項１に記載のヤスデ侵入防止装置。
【請求項５】
テープが複数本の導電性のテープからなる請求項１〜４のいずれか１項に記載のヤスデ侵入防止装置。
【請求項６】
テープが家屋の布基礎の凹凸状の壁面に貼りやすいように滑面性のあるテープである請求項１〜５のいずれか１項に記載のヤスデ侵入防止装置。
【請求項７】
テープがステンレス製である請求項１〜６のいずれか１項に記載のヤスデ侵入防止装置。
【請求項８】
テープが帯状のベースシートに固定されていて、そのベースシートを介してテープが家屋の布基礎の壁面に間接的に貼り付けられる請求項１〜７のいずれか１項に記載のヤスデ侵入防止装置。
【請求項９】
テープとベースシートがロール状態に巻かれた状態になっていて、使用に際し、必要な長さだけ取り出される請求項１〜８のいずれか１項に記載のヤスデ侵入防止装置。
【発明の詳細な説明】
【技術分野】
【０００１】
本発明は、不快害虫、とくにヤンバルトサカヤスデの家屋への侵入を防止するためのヤスデ侵入防止装置に関する。
【背景技術】
【０００２】
ヤンバルトサカヤスデは、１９５６年に台湾で発生が確認されたヤケヤスデ科のヤスデである。日本では１９８３年に沖縄本島の北中城村で大発生したのが最初の記録で、沖縄本島では１９８９までにほぼ全島に分布が拡大した。鹿児島県では１９９１年に徳之島で多発生した。翌年の１９９２年には奄美大島の奄美市でも局所的な多発生が認められた。
１９９９年には沖永良部島を除く奄美群島全域で発生が確認され、同年には鹿児島県南九州市の頴娃町と知覧町でも発生が確認された。また、鹿児島市でも２００２年頃、吉野地区で発生が確認された。その後、知覧町、頴娃町や吉野地区で多発生を繰り返している。
【０００３】
ヤスデ類は、本来、ミミズ類同様、腐植土や植物残渣の腐敗物をえさとするため、その排泄物は土壌生成に有用な土壌動物であるが、局地的に大発生すると、不快害虫や列車走行妨害の原因として問題となる。
【０００４】
年２回の群遊（群をなして移動）期には、生息地の山裾の民家、道路の排水溝等に夜間おびただしい数のヤスデが押し寄せ、壁面等への蝟集や家屋内への侵入などによって住民は極度の不快感に見まわれている。鹿児島県では１９９９年（平成１１年）に「鹿児島県ヤンバルトサカヤスデ対策検討委員会」が組織され、地域住民の強い要請で、県市町村が連携をとりながら分布拡大防止や防除対策に取り組んできた。
【０００５】
ヤスデの防除に薬剤を無償配布している市町村はあるが、財政の厳しい市町村では、無償配布を止めているところもある。
【０００６】
防除薬剤による防除は住民から自然環境への影響や防除薬剤への拒絶反応もあり、農薬を使わない撃退（侵入防止）方法への要望が強くある。
【０００７】
特許文献１においては、ヤスデ等を害虫として殺すための害虫防除具、害虫防除材及び害虫防除方法が提案されている。
【０００８】
特許文献２においては、ヤスデ等を麻痺或いは死亡させることが提案されている。
【０００９】
ヤンバルトサカヤスデは、絶滅させるのが困難であり、そのため、共生していかなければならない生物であるという考え方がある。共生のためには、最低限としてヤンバルトサカヤスデが家の中へ侵入することを防ぐ必要がある。このような観点から、ブロック等の壁にステンレスの板（幅１２ｃｍ程度）を貼り付け、板の表面でヤンバルトサカヤスデをすべらせたり、家屋の周辺で薬剤を散布している。
【００１０】
しかし、ステンレス板の場合、表面を常にきれいにしておく必要があり、そのため、維持管理が面倒で、手間がかかった。また、ステンレス板は、曲がり加工が難しかった。
【００１１】
そこで、本出願人は、特許文献３に示すように、あまり手間がかからず、確実にヤスデとくにヤンバルトサカヤスデが家の中に侵入することを防げるヤスデ返し器具を考案した。すなわち、帯状の平面部と、その帯状の平面部の上側エッジに沿って設けられたヤスデ返し用の曲面部とを有し、帯状の平面部が水平方向に沿って延びるように、垂直方向の沿って延びる壁面に帯状の平面部の裏面を固定し、壁面の下方から来たヤスデが帯状の平面部の下側エッジを越えて帯状の平面部の表面に這上がり更に上側帯状の平面部エッジを越えてヤスデ返し用の曲面部を這っていく間に、ヤスデを落下させるヤスデ返し器具を考案したのである。
【先行技術文献】
【特許文献】
【００１２】
【特許文献１】特開２００９−１７８１１６
【特許文献２】特開平１１−１８７８０１
【特許文献３】実用新案登録第３１６６９５９号
【発明の概要】
【発明が解決しようとする課題】
【００１３】
本発明の課題は、簡単かつ確実にしかも安全にヤスデの家屋への侵入を防止することができるようにヤスデ侵入防止装置を改良することである。
【課題を解決するための手段】
【００１４】
本発明の解決手段を例示すると、次のとおりである。
【００１５】
（１）
ヤスデが家屋内に侵入することを防止するためのヤスデ侵入防止装置であって、地面に沿って家屋の布基礎の壁面に直接又は間接的に貼り付ける導電性のテープと、そのテープに電気的に接続するソーラー装置とを有し、ソーラー装置を電源として使用し、かつ、テープに低電圧の通電と低周波のパルス発生を行うことを特徴とするヤスデ侵入防止装置。
【００１６】
（２）
ソーラー装置がソーラーパネルとコントロール手段を有し、コントロール手段は、電圧を３６Ｖ以下で選択する電圧調整手段と、３０〜１２０Ｈｚの低周波を選択する周波数調整手段を有する請求項１に記載のヤスデ侵入防止装置。
【００１７】
（３）
低電圧が３６Ｖ以下の低電圧である請求項１に記載のヤスデ侵入防止装置。
【００１８】
（４）
低周波が３０Ｈｚ〜１２０Ｈｚの低周波である請求項１に記載のヤスデ侵入防止装置。
【００１９】
（５）
テープが複数本のテープからなる請求項１〜４のいずれか１項に記載のヤスデ侵入防止装置。
【００２０】
（６）
テープが家屋の布基礎の凹凸状の壁面に貼りやすいように滑面性のあるテープである請求項１〜５のいずれか１項に記載のヤスデ侵入防止装置。
【００２１】
（７）
テープがステンレス製である請求項１〜６のいずれか１項に記載のヤスデ侵入防止装置。
【００２２】
（８）
テープが帯状のベースシートに固定されていて、そのベースシートを介してテープが家屋の布基礎の壁面に間接的に貼り付けられる請求項１〜７のいずれか１項に記載のヤスデ侵入防止装置。
【００２３】
（９）
テープとベースシートがロール状態に巻かれた状態になっていて、使用に際し、必要な長さだけ取り出される請求項１〜８のいずれか１項に記載のヤスデ侵入防止装置。
【発明を実施するための形態】
【００２４】
本発明の１つの実施形態においては、ヤスデ侵入防止装置は、地面に沿って家屋の壁面（とくに布基礎の壁面）に貼り付ける導電性のテープを有し、ソーラー装置をそのテープに電気的に接続し、かつ日当たりの良い場所に取り付ける。ソーラー装置は、テープに対し、低電圧の通電と低周波のパルスの発生を可能なものにする。
【００２５】
電源として、規制と環境を考慮し、ソーラー装置を使う。そして、日当たりのよい場所にソーラー装置を設置し、電圧は、３６Ｖ以下の低電圧とし、電圧調整手段、例えば電圧調整ツマミ等を手動で操作して、切り替え式（１２Ｖ，２４Ｖ，３６Ｖを選択可能）とするのが好ましい。
【００２６】
通電と同時に低周波も発生させる。例えば、周波数調整手段、例えば周波数調整ツマミ等を手動で調整して、３０Ｈｚ〜１２０Ｈｚの範囲内で適当な周波数を選択するのが好ましい。
【００２７】
通電させるために、導電性のテープ、例えばステンレス製のテープを使用する。好ましくは複数本（例えば２本）のステンレス製のテープを使用する。とくに、家屋の布基礎の凸凹状壁面に容易に貼れるように、滑面性のあるテープを使用するのが好ましい。
【００２８】
本発明の好ましい実施形態によれば、帯状のテープが水平方向に沿って延びるように、垂直方向に沿って延びる、家屋の布基礎の壁面を利用し、その壁面にテープの裏面を直接又はベースシート（例えば台紙）を介して間接的に固定する。この場合、壁面を這って下方から来たヤスデがテープの下側エッジを越えてテープ表面を上方に向けて這っていく間に、ヤスデを地面に落下させることができる。
【００２９】
また、ヤスデがテープ表面を上方に向けて這っていく際に、ヤスデに電気的な刺激を与えるために、導電性のテープ、好ましくはステンレス製のテープが設けられる。ヤンバルトサカヤスデは、少しの電気的刺激で丸くなる。それゆえ、ヤンバルトサカヤスデがテープからすべり落ちず、万が一テープを通過してしまいそうな場合であっても、ヤンバルトサカヤスデに電気の刺激を付与すれば、ヤンバルトサカヤスデを確実に落すことができる。あくまでもヤンバルトサカヤスデの侵入防止が主眼であるので、強力な電流は必要とせず、微弱電流でもよいので、安全である。
【００３０】
また、テープの裏面や、テープを固定したベースシート（台紙）の裏面に粘着剤が設けられていると、テープとベースシート（台紙）を所望の長さに切断して、粘着剤によってテープを直接又はベースシート（台紙）を介して壁面に簡単に固定できる。それゆえ、テープを家屋の布基礎の外側壁面の全周にわたって配置する場合でも、テープを家屋の布基礎の外側壁面の全周に容易に配置でき、設置作業にあまり手間がかからない。必要に応じてテープを壁面から除去することも容易である。
【００３１】
また、ヤスデ侵入防止装置のテープ及びベースシート（台紙）が、一緒にロール状に巻いて収納できるようになっていると、使用前の非常に長いテープ及びベースシート（台紙）を収納することが簡便かつコンパクトとなる。
【図面の簡単な説明】
【００３２】
【図１】本発明によるヤスデ侵入防止装置のテープを家屋の布基礎の外側壁面の全周に使用した施工例を示す説明図。
【図２】本発明によるヤスデ侵入防止装置のソーラー装置を家屋の側壁面に設けた施工例を示す説明図。
【図３】図２に示したソーラー装置のソーラーパネルとコントロール手段を示す説明図。
【図４】本発明によるヤスデ侵入防止装置のテープ及びベースシートの一例を示す説明図。
【図５】図４に示されたものとは違う別テープ及びベースシートを示す拡大図。
【図６】本発明によるヤスデ侵入防止装置のテープをロール状に巻いて収納する例を示す説明図。
【図７】図２に示されたソーラー装置の一例（とくにソーラーパネルの表側）を示す斜視図。
【図８】図７に示されたソーラー装置の例（とくにソーラーパネルの裏側）を示す斜視図。
【図９】本発明の一例によるヤスデ侵入防止装置を使用した実験例を示す写真。
【実施例】
【００３３】
図１及び２は、本発明によるヤスデ侵入防止装置のテープとソーラー装置を家屋に設置した１つの実施例を示す。
【００３４】
この実施例においては、ヤスデ侵入防止装置は、１本のテープ１０及び１つのソーラー装置１８を有する。テープ１０が家屋１４の布基礎１６の回りに水平の地面１２に沿って延びるように、垂直方向に延びる布基礎１６の外側壁面にテープ１０の裏面を直接又はベースシート１１を介して固定する。そして、布基礎１６の外側壁面の下方から来たヤスデがテープ１０の下側エッジを越えてテープ１０の表面を這上がり更にテープ１０の上側エッジを越えてテープ１０の表面を這っていかないように、テープ１０のところでヤスデを自重で自然に落下させる。
【００３５】
テープ１０は、導電性の材料とくにステンレススチールで作るのが好ましい。ステンレススチールを使う理由は、導電性が良好であるとともに、加工がしやすく、切り貼りが容易であるからである。切り貼り加工が簡単であると、作業性が良い。
【００３６】
テープ１０を通過していこうとするヤスデに電気的な刺激を与えるために、テープ１０に電気的に接続されるソーラー装置１８が設けられる。
【００３７】
ヤスデは、少しの電気的な刺激で丸くなるので、万が一、テープ１０を通過してしまいそうな場合であっても、ヤスデは、テープ１０による電気の刺激で丸くなり、テープ１０の下方に確実に落ちる。あくまでもヤンバルトサカヤスデの侵入防止のためにテープ１０に電気を流すので、ヤンバルトサカヤスデを殺すことを目的とするような強力な電流は必要としない。小型のソーラー装置１８の使用によって手動で電圧調整ツマミ１８ｄを操作することにより３６Ｖ以下の所望の低電圧を選択して通電し、かつ手動で周波数調整ツマミ１８ｅを操作することにより３０〜１２０Ｈｚの所望の低周波を選択してパルスを発生させればよい。
【００３８】
また、テープ１０の裏面に粘着剤を設けて、その粘着剤によってテープ１０を布基礎１６の壁面に直接又はベースシート１１を介して固定する。とくに、テープ１０が家屋１４の布基礎１６の外側壁面の全周にわたって切れ目なく配置されることが好ましい。
【００３９】
図３に示すソーラー装置１８においては、ソーラーパネル１８ａとコントロール手段１８ｂが互いに機械的に接続されて固定されている。コントロール手段１８ｂには、前述のツマミ１８ｄ、１８ｅが配置されている。
【００４０】
図４に示す例においては、同じ幅を有する２本のテープ１０ａ、１０ｂが互いに平行に１本の帯状のベースシート１１（台紙）に固定されている。ベースシート１１は、家屋の布基礎の凹凸状の壁面に容易かつ確実に貼れるように滑面性のあるものとするのが好ましい。
【００４１】
図５においては、より具体的に拡大して２本のテープ１０（１０ａ及び１０ｂ）とベースシート１１との関係が示されており、上側のテープ１０ａは、下側のテープ１０ｂよりも幅が大きくなっている。
【００４２】
図６に示されているように、テープ１０は、２本のテープ、すなわち幅広のテープ１０ａと幅狭のテープ１０ｂからなる。使用前のテープ１０は、帯状のベースシート１１と一緒にロール状に巻かれた状態で収納されている。使用の際には、ロール状に巻かれた状態のテープ１０と帯状のベースシート１１を必要な長さだけ取り出して切断する。
【００４３】
図７と図８は、より具体的にソーラー装置１８のソーラーパネル１８ａとコントロール手段１８ｂを示している。ソーラーパネル１８ａとコントロール手段１８ｂは、所定の設置角度をもつようにフレーム１８ｃに固定されている。例えば、まずフレーム１８ｃを家屋１４の外壁面に固定し、そのあと、そのフレーム１８ｃの下方部にコントロール手段１８ｂを取り付けるとともに、太陽光線に対して最適の位置にソーラーパネル１８ａを設定しながらフレーム１８ｃの上方部に取り付け、さらに、ソーラーパネル１８ａとコントロール手段１８ｂとテープ１０を導線（図示せず）により電気的に接続する。
【実験例】
【００４４】
図９は、本発明の実験例を示す写真である。
【００４５】
ヤンバルトサカヤスデの行動習性を踏まえて、ヤスデ侵入防止装置の作用効果を確認するための実験をした。
【００４６】
実験には、図６に示すテープ１０（２本の幅の異なるテープ１０ａ、１０ｂ）とベースシート１１を使用した。
【００４７】
２本のテープ１０ａ、１０ｂとベースシート１１の表面は滑面性が高く、ベースシート１２の幅は１０ｃｍとし、ヤスデの体長と歩行習性から、ステンレス製のテープ１０ａ、１０ｂを図６のように平行に配置した。なお、ベースシート１１の裏面は施工し易いように粘着性のものにした。また、２本のテープ１０ａ、１０ｂとベースシート１１は、主に家屋の布基礎に設置するので、装飾性も考慮した。
【００４８】
電源として、安全性を重視して、３６Ｖ以下の通電が可能であるソーラー装置１８を使用した。通電のみでは撃退効果が低い場合があるので、通電と同時に３０Ｈｚ〜１２０Ｈｚの低周波をパルスで発生させた。このように低電圧の通電と低周波を併用すると、劇的に撃退効果が高かった。
【００４９】
ヤスデの脚の爪先は鋭く尖っていて、イエバエのような吸盤はなく、歩行するときは爪先に掛かるものがないと移動できない。そのため、テープ１０及びベースシート１１の表面が滑面性の高いものであると、これらの表面を登ることはほとんどできない。しかし、テープ１０及びベースシート１１は家屋の布基礎１６に設置するので、図９（写真）のように塵芥などが付着した場合やヤスデが多数群遊してきてテープ１０及びベースシート１１の下に溜まった場合などは、溜まったヤスデを乗り越えてベースシート１１の表面を移動することもあり得る。
【００５０】
しかし、その場合、ベースシート１１の障壁を越えたヤスデは、ステンレス製の導電性テープ１０のところで低電圧（電流）と低周波を感知する。とくに、第１障壁（下側）のステンレステープ１０ｂと第２障壁（上側）のステンレステープ１０ａの両方に同時に触れると、撃退効果は非常に顕著であり、ヤスデは体の前部を竦めて確実に後退又は落下する。必要に応じて、さらに上方に第３障壁のステンレステープを設け、そこを通過できた個体があれば、さらに上方に第４障壁のステンレステープを設けて、ヤスデの侵入を確実に防止することができる。
【００５１】
なお、図９（写真）は、テープ１０とベースシート１１を布基礎状のボード（本試験では、布基礎の代わりに、スノーボードを使用した）に設定し、種々の場合を想定した実験をした。図９（写真）は、その１つの実験の様子を示している。写真左側に示すように、塵芥（知覧地方の黒ボク土）を付着させ、下部のステンレス製テープ１０ｂと上部のステンレス製テープ１０ａに容易に登れる梯子（メッシュ両面ヤスリ）を設定し、ヤスデが容易に各々の障壁のテープ１０ｂ、１０ａに登れるようにした。この実験で２本のテープ１０ａ、１０ｂを登って完全に通過した個体はゼロであった。
【００５２】
なお、図９において、テープ１０の下方が白くなっているが、それは、ヤスデは体の前部を左右に振りながら移動する習性があり、この移動習性が移動時に塵芥を落すためである。テープ１０から、塵芥がすべて払い落されると、ヤスデは、テープ１０上に足がかりとなるものをなくした状態になる。
【符号の説明】
【００５３】
１０  テープ
１０ａ  上側（上部）のテープ
１０ｂ  下側（下部）のテープ
１１  ベースシート（台紙）
１２  地面
１４  家屋
１６  布基礎
１８  ソーラー装置
１８ａ  ソーラーパネル
１８ｂ  コントロール手段
１８ｃ  フレーム
１８ｄ  電圧調整ツマミ
１８ｅ  周波数調整ツマミ
【図１】
0005619946.tif 000002
【図２】
0005619946.tif 000003
【図３】
0005619946.tif 000004
【図４】
0005619946.tif 000005
【図５】
0005619946.tif 000006
【図６】
0005619946.tif 000007
【図７】
0005619946.tif 000008
【図８】
0005619946.tif 000009
【図９】
0005619946.tif 000010